(57)【特許請求の範囲】
【請求項１】
検索要求を受付けた事項に対する意味を解説する情報である意味情報を検索する意味検索プログラムであって、
指定されたサイトの更新状況を監視する監視手順と、
前記監視手順による監視により更新されたサイトが検出された場合に、更新されたサイトからＵＲＬと該更新されたサイト内の項目を抽出し、抽出した前記ＵＲＬ及び前記項目を含むとともに前記ＵＲＬにより前記更新されたサイトに対してリンクを確立するリンク情報を生成する生成手順と、
前記生成手順によって生成されたリンク情報を前記意味情報に関連付けて記憶部に記憶する記憶手順と、
前記意味情報を検索する場合に、該意味情報に関連するリンク情報を前記記憶部から検索し、検索したリンク情報を前記意味情報とともに出力する出力手順と
をコンピュータに実行させるための意味検索プログラム。
【請求項２】
前記記憶手順は、前記リンク情報と前記意味情報と前記意味情報の同義語、反対語、関連語または用例である属性情報とをさらに関連付けて記憶部に記憶し、
前記出力手順は、意味情報の検索を行った場合に、検索を行った意味情報に関連するリンク情報及び属性情報を前記記憶部から検索し、検索したリンク情報及び属性情報を前記意味情報とともに出力することを特徴とする請求項１に記載の意味検索プログラム。
【請求項３】
検索要求を受付けた事項に対する意味情報が存在しない場合に、該意味情報が存在しない事項を出力する事項出力手順と、前記事項出力手順によって出力された事項に対する意味情報を受付けた場合に、受付けた意味情報を記憶部に記憶する意味情報記憶手順とを更にコンピュータに実行させるための請求項１に記載の意味検索プログラム。
【請求項４】
利用者の宛先に関する情報を記憶部に記憶させる利用者記憶手順と、前記意味情報が更新された場合に、利用者に更新された情報を通知する通知手順を更にコンピュータに実行させるための請求項１に記載の意味検索プログラム。
【請求項５】
送信元と送信先とでリンクを確立するためのトラックバック情報を取得した場合に、該トラックバック情報をリンク情報に変換する変換手順を更にコンピュータに実行させ、
前記記憶手順は、前記生成手順によって生成されたリンク情報に代えて前記変換手順によって変換されたリンク情報を前記意味情報に関連付けて記憶部に記憶することを特徴とする請求項１に記載の意味検索プログラム。
【発明の詳細な説明】
【技術分野】
【０００１】
この発明は、検索要求を受付けた事項に対する意味情報を検索する意味検索プログラムに関し、特に辞書検索を行った場合に、検索対象となる用語の意味だけでなく、用語に関する幅広い情報をあわせて表示可能とする意味検索プログラムに関するものである。
【背景技術】
【０００２】
近年、インターネット上には様々なウェブサイトが開設されており、ウェブサイト利用者は、携帯電話やパソコンなどの端末装置を利用して、ウェブサイトにアクセスし、様々な情報を取得している。
【０００３】
また、ウェブサイト利用者には、特定の業務にかかわる研究・開発部門の利用者も含まれており、この利用者は、業務の内容に関連した情報を有する業務ホームページにアクセスし、業務マニュアル情報や製品情報等を取得して、研究および製品開発を行っている。
【０００４】
しかし、業務ホームページなどに含まれる業務マニュアル情報や製品情報等には、利用者が理解できない様々な用語が含まれており、利用者は、理解できない用語を見つけるたびに、辞書検索可能なウェブサイト（以下、辞書検索サイトと表記する）等にアクセスし、用語の意味を検索する必要があり、利用者にかかる負担が大きかった。
【０００５】
そこで、特許文献１では、インターネット上で業務ホームページから辞書検索サイトに対してリンクを確立し、リンク先の辞書検索サイトを利用することによって、業務ホームページ上に含まれる理解できない用語を利用者が容易に検索可能となる技術が公開されている。
【０００６】
【特許文献１】特開２００２−９２０３７号公報
【発明の開示】
【発明が解決しようとする課題】
【０００７】
しかしながら、かかる従来の技術では、研究・開発部門にかかわるウェブサイト利用者が、業務ホームページ上の用語などを、辞書検索サイトを用いて検索しても、研究・開発などにかかわる業務効率を向上させることができないという問題があった。
【０００８】
なぜなら、辞書検索サイトを利用して用語を検索した場合に、著作権の問題で利用者は用語の意味のみしか理解することができず、検索した用語に関連した業務ホームページ上の自社の成功例や失敗例などを参照できず、シナジー効果による業務の効率を図れないからである。
【０００９】
この発明は、上述した従来技術による問題点を解消するためになされたものであり、辞書検索を行った場合に、検索対象となる用語の意味だけでなく、用語に関する幅広い情報をあわせて表示可能とする意味検索プログラムを提供することを目的とする。
【課題を解決するための手段】
【００１０】
上述した課題を解決し、目的を達成するため、本発明に係る意味検索プログラムは、検索要求を受付けた事項に対する意味を解説する情報である意味情報を検索する意味検索プログラムであって、指定されたサイトの更新状況を監視する監視手順と、前記監視手順による監視により更新されたサイトが検出された場合に、更新されたサイトからＵＲＬと該更新されたサイト内の項目を抽出し、抽出した前記ＵＲＬ及び前記項目を含むとともに前記ＵＲＬにより前記更新されたサイトに対してリンクを確立するリンク情報を生成する生成手順と、前記生成手順によって生成されたリンク情報を前記意味情報に関連付けて記憶部に記憶する記憶手順と、前記意味情報を検索する場合に、該意味情報に関連するリンク情報を前記記憶部から検索し、検索したリンク情報を前記意味情報とともに出力する出力手順とをコンピュータに実行させることを特徴とする。
【発明の効果】
【００２０】
本発明によれば、意味検索プログラムは、意味情報に関連する情報にリンクするリンク情報を記憶部に記憶し、意味情報を検索する場合に、この意味情報に関連するリンク情報を検索し、検索したリンク情報を出力するので、利用者に対する業務効率を向上させることができる。
【００２１】
また、本発明によれば、意味検索プログラムは、意味情報にかかる検索を行った場合に、検索を行った意味情報に対応するリンク情報の同義語、反対語、関連語または用例である属性情報を更に出力するので、利用者は所望するリンク情報を容易に選択することができる。
【００２２】
また、本発明によれば、意味検索プログラムは、検索要求を受付けた事項に対する意味情報が存在しない場合に、この意味情報が存在しない事項を出力し、出力された事項に対する意味情報を受付けた場合に、受付けた意味情報を記憶部に記憶するので、不足する意味情報を容易に補うことができる。
【００２３】
また、本発明によれば、意味検索プログラムは、利用者に宛先に関する情報を記憶部に記憶させ、意味情報が更新された場合に、利用者に更新された情報を通知するので、利用者は容易に更新された情報を取得することができる。
【００２４】
また、本発明によれば、送信元と送信先とでリンクを確立するためのトラックバック情報を取得した場合に、取得したトラックバック情報をリンク情報に変換するので、意味情報に関連するウェブサイトなどに対して効率よくリンクを確立することができる。
【発明を実施するための最良の形態】
【００２５】
以下に添付図面を参照して、この発明に係る意味検索プログラムの好適な実施の形態を詳細に説明する。
【実施例１】
【００２６】
まず、本実施例１にかかる意味検索の概念について説明する。本実施例１にかかる辞書サーバは、所定の事項に対する意味の情報（以下、意味情報と表記する）と、この意味情報に関連する業務ホームページのリンク情報とを関連付けて記憶しておき、ある事項に関する辞書検索要求を受付けた場合に、受付けた事項に対応する意味情報およびリンク情報に基づいた業務ホームページの項目一覧を表示する。
【００２７】
次に、本実施例１にかかる辞書検索システムの構成について説明する。図１は、本実施例１にかかる辞書検索システムの構成を示す図である。同図に示すように、この辞書検索システムは、クライアントＰＣ１０、ナレッジサーバ２０および辞書サーバ１００からなる。なお、クライアントＰＣ１０、ナレッジサーバ２０および辞書サーバ１００はネットワークなどを介して接続されており、辞書サーバ１００が開設したサイトからナレッジサーバ２０が開設したサイトに対してリンクが確立されている。
【００２８】
ここに、クライアントＰＣ１０は、辞書サーバ１００またはナレッジサーバ２０に対してアクセスを行い、用語の辞書検索要求を行うと共に、用語の意味情報に関連した業務ホームページを閲覧するための装置である。
【００２９】
ナレッジサーバ２０は、業務などにかかわる情報を公開するための業務ホームページを管理する装置であり、クライアントＰＣ１０から閲覧要求を受付けた場合には、該当する情報をクライアントＰＣ１０に送信する。また、ナレッジサーバ２０は、業務ホームページの内容等を更新した場合には、リンク元となる辞書サーバ１００に更新内容を含んだ更新情報を送信する。
【００３０】
辞書サーバ１００は、意味情報と、意味情報に関連するリンク情報とを関連付けて記憶し、クライアントＰＣ１０から用語の辞書検索要求を受付けた場合に、該当する意味情報およびリンク情報に基づいた業務ホームページの項目を表示する装置である。また、辞書サーバ１００は、ナレッジサーバ２０から更新情報を受信した場合には、受信した更新情報を反映させると共に、利用者に更新情報を通知する。
【００３１】
このように、辞書サーバ１００は、クライアントＰＣ１０から用語に対する辞書検索要求を受付けた場合に、用語の意味のみを表示するのではなく、用語に関連する業務ホームページの項目も表示させるので、ウェブサイト利用者は、用語に関する幅広い情報を容易に取得することができ、業務効率を向上させることができる。
【００３２】
次に、本実施例１にかかる辞書サーバ１００の構成について説明する。図２は、本実施例１にかかる辞書サーバ１００の構成を示す機能ブロック図である。同図に示すように、この辞書サーバ１００は、通信部１１０、検索表示処理部１２０、記憶部１３０、表示部１４０、入力部１５０、アクセスログ表示部１６０および特設辞書編集部１７０を有する。
【００３３】
通信部１１０は、所定の通信プロトコルを利用して、クライアントＰＣ１０およびナレッジサーバ２０と通信を行うための処理部である。検索表示処理部１２０は、記憶部１３０に記憶された各データを利用して、クライアントＰＣ１０から受付けた用語に対する辞書検索を行うと共に、辞書検索を行った用語に関連する業務ホームページの項目を表示させる処理部である。
【００３４】
図３は、検索表示処理部１２０の構成を示す機能ブロック図である。同図に示すように、この検索表示処理部１２０は、検索受付部１２０ａ、検索実行部１２０ｂ、検索結果表示部１２０ｃ、ナレッジ情報登録部１２０ｄ、アクセスログ管理部１２０ｅおよび更新情報管理部１２０ｆを有する。
【００３５】
検索受付部１２０ａは、クライアントＰＣ１０からのアクセスを受付け、辞書検索を行うための画面を表示させる処理部である。そして、検索受付部１２０ａは、検索対象となる用語が入力された場合には、入力された用語の情報（以下、入力用語情報）を検索実行部１２０ｂに渡す。
【００３６】
検索実行部１２０ｂは、検索受付部１２０ａから入力用語情報を取得し、取得した入力用語情報に対応する意味情報および意味情報に関連した見出し情報を辞書コンテンツデータ１３０ｂまたは特設辞書データ１３０ｃから検索すると共に、意味情報に対応するリンク情報をナレッジ参照データ１３０ａから検索する処理部である。そして、検索実行部１２０ｂは、検索した意味情報、見出し情報およびリンク情報を検索結果表示部１２０ｃに渡す。なお、検索実行部１２０ｂは入力用語情報に対応する意味情報が存在しない場合には、存在しない旨を検索結果表示部１２０ｃに通知する。
【００３７】
図４は、ナレッジ参照データ１３０ａのデータ構造の一例を示す図である。同図に示すように、このナレッジ参照データ１３０ａは、パス情報と、リンク情報とが関連付けられて記憶されている。ここで、パス情報は、辞書コンテンツデータ１３０ｂまたは特設辞書データ１３０ｃに記憶された意味情報を特定するための情報である。
【００３８】
また、パス情報は、「ＨＴＭＬ（Hyper  Text  Markup  Language）パス」、「アンカー名」、「見出し」からなり、リンク情報は「ＵＲＬ（Uniform  Resource  Locator）」、「アンカー名」、「項目名」、「属性（意味情報に対する同義語、反対語、関連語、用例などの情報）」、「概要」からなる。ナレッジ参照データ１３０ａには、パス情報およびリンク情報に対応したレコード１〜ｎが記録されている。
【００３９】
すなわち、検索実行部１２０ｂは、辞書コンテンツデータ１３０ｂまたは特設辞書データ１３０ｃから意味情報を検索した場合に、検索した意味情報に対応するレコードを、パス情報（ＨＴＭＬパス、アンカー名、見出し）をキーとして検索し、検索したレコードに含まれるリンク情報を、意味情報に関連するリンク情報として取得することになる。
【００４０】
辞書コンテンツデータ１３０ｂは、見出しデータおよび本文ＨＴＭＬデータからなる。図５は、見出しデータのデータ構造の一例を示す図であり、図６は、本文ＨＴＭＬデータのデータ構造の一例を示す図である。図５に示すように、見出しデータには、「全ファイル数」、「全項目数」、「本文ＨＴＭＬファイルパス（先頭本文ＨＴＭＬパス〜最終本文ＨＴＭＬファイルパス）」、「見出しリスト」からなる。
【００４１】
また、見出しリストは、「ファイル番号」、「オフセット（アドレス情報）」、「レングス（データ長）」、「アンカー名」、「見出し」からなる。具体的に、ファイル番号「１」に関しては、オフセットが「１５２５」であり、レングスが「１２４」であり、アンカー名が「ａｉ１０１」であり、見出しが「アイ−アイ[aye-aye]」である。
【００４２】
図６の説明に移ると、本文ＨＴＭＬデータ（先頭本文ＨＴＭＬデータ〜最終本文ＨＴＭＬデータ）は、複数の項目１〜ｎからなる。そして、項目毎にアンカー、見出し、解説文（意味情報）が含まれている。なお、特設辞書データ１３０ｃのデータ構造は、辞書コンテンツデータ１３０ｂと同様であるので説明を省略する。
【００４３】
検索結果表示部１２０ｃは、検索実行部１２０ｂから意味情報、見出し情報およびリンク情報を取得し、意味情報、見出し情報およびリンク情報にかかる業務ホームページの項目を表示させる処理部である。図７は、検索結果表示部１２０ｃがクライアントＰＣ１０に表示させる表示画面の一例を示す図である。
【００４４】
同図に示すように、検索結果表示部１２０ｃは、見出し情報による各選択項目と、意味情報に対応する情報（図７の例では、「アレルギーとは・・・」）と、リンク情報による業務ホームページの項目（図７の例では、「○○薬品工業（株）○×△鼻炎薬」、「花粉症」）を表示させる。
【００４５】
すなわち、利用者は、クライアントＰＣ１０を利用して、辞書サーバ１００にアクセスし、「アレルギー（一例）」に対する辞書検索要求を行った場合には、アレルギーに対する用語の意味だけでなく、アレルギーに関連する業務ホームページも効率よく閲覧することができ、業務効率を向上させることができる。
【００４６】
また、検索結果表示部１２０ｃは、リンク情報による業務ホームページの項目とあわせて属性情報（同義語、反対語、関連語または用例など）を表示してもよい。このように、属性情報をあわせて表示することによって、利用者は所望する業務ホームページを効率よく参照することができる。
【００４７】
図８は、利用者が図７にかかる表示画面の項目「○○薬品工業（株）○×△鼻炎薬」をクリックした場合に表示される画面の一例を示す図である。なお、検索結果表示部１２０ｃは、表示画面を表示させた場合に、意味情報に対応する情報を直接参照するためのＵＲＬ情報をあわせて表示させてもよい。なお、検索結果表示部１２０ｃは、検索実行部１２０ｂから入力用語情報に対応する意味情報が存在しない旨の通知を受けた場合には、その旨を表示する。
【００４８】
また、検索結果表示部１２０ｃは、クライアントＰＣ１０から新たな業務ホームページのリンク先にかかわる情報（以下、登録リンク情報）を取得した場合には、取得した登録リンク情報をナレッジ情報登録部１２０ｄに渡す。
【００４９】
具体的に、検索結果表示部１２０ｃは、図７に示す画面をクライアントＰＣ１０に表示させ、「参照先登録」ボタンをクリックされた場合に、ナレッジへの参照先登録画面をクライアントＰＣ１０に表示させる。図９は、ナレッジへの参照先登録画面の一例を示す図である。
【００５０】
そして、検索結果表示部１２０ｃは、参照先登録画面に入力されたデータ（「参照先ＵＲＬ」、「参照項目名称」、「属性」、「概要」、「辞書の参照方法」）を登録リンク情報として、ナレッジ情報登録部１２０ｄに渡す。ここで、「辞書の参照方法」には、他の辞書サーバを参照するためのＵＲＬ情報などが入力される。
【００５１】
このように、検索実行部１２０ｂは、他の辞書サーバを参照するためのＵＲＬ情報を取得し、該取得したＵＲＬ情報を利用することによって、異なる複数の辞書サーバに対して容易に用語の辞書検索要求を行うことができるので、利用者の業務効率を向上させることができる。
【００５２】
また、検索結果表示部１２０ｃは、更新情報提供先にかかる登録要求を受付けた場合には、更新情報提供先登録画面をクライアントＰＣ１０に表示させる。図１０は、更新情報提供先登録画面の一例を示す図である。
【００５３】
検索結果表示部１２０ｃは、更新情報提供先画面に各情報（提供先ＵＲＬ、提供先会社名、所属、氏名、備考にかかわる情報）が入力され、「登録」がクリックされた場合には、入力された各情報を提供先登録情報として、更新情報管理部１２０ｆに渡す。なお、提供先ＵＲＬの代わりに、利用者のメールアドレスとしても良い。
【００５４】
また、検索結果表示部１２０ｃは、新規項目にかかわる追加要求を受付けた場合には、追加登録画面をクライアントＰＣ１０に表示させる。図１１は、追加登録画面の一例を示す図である。
【００５５】
検索結果表示部１２０ｃは、図１１に示す新規登録画面に各情報が入力された場合に、入力された各情報（新規項目の見出し、新規項目のジャンル、備考、依頼者氏名、依頼者所属にかかわる情報）を新規特設項目データ１３０ｄとして、記憶部１３０に記憶する。
【００５６】
図１２は、新規特設項目データ１３０ｄのデータ構造の一例を示す図である。同図に示すように、この新規特設項目データ１３０ｄは、「見出し」、「ジャンル」、「備考」、「氏名」、「所属」からなり、各情報に対応するレコード１〜ｎが記録されている。
【００５７】
また、検索結果表示部１２０ｃは、話題のキーワードに対する表示要求を受付けた場合には、アクセスログ管理部１２０ｅに対して、話題のキーワードに対する情報を要求し、話題のキーワードに対する情報を表示する。
【００５８】
図１３は、話題のキーワードに対する表示画面の一例を示す図である。同図に示すように、この表示画面には、辞書検索要求を受付けた用語のうち、検索要求が多い用語の総合トップ１〜３およびジャンル別の用語トップ１〜３の用語が表示される。
【００５９】
ナレッジ情報登録部１２０ｄは、検索実行部１２０ｂから意味情報および登録リンク情報を取得し、取得した各情報を基にして、ナレッジ参照データ１３０ａに情報を記録する処理部である。具体的に、ナレッジ情報登録部１２０ｄは、意味情報をパス情報に、登録リンク情報をリンク情報にそれぞれ変換し、変換したデータをナレッジ参照データ１３０ａに記録する。
【００６０】
アクセスログ管理部１２０ｅは、辞書サーバ１００に対するアクセスの履歴などを管理する処理部である。具体的に、アクセスログ管理部１２０ｅは、辞書検索要求を受付けた用語に対する検索回数などをジャンルごとに分類し、話題のキーワード情報として保持する。そして、アクセスログ管理部１２０ｅは、検索結果表示部１２０ｃから話題のキーワードに対する情報の要求を受付けた場合に、保持している話題のキーワード情報を検索結果表示部１２０ｃに渡す。
【００６１】
また、アクセスログ管理部１２０ｅは、検索結果表示部１２０ｃが意味情報にかかわる項目を表示した場合に、表示した項目に対する利用者の選択状況を基にして、アクセスログデータ１３０ｆを作成する。
【００６２】
図１４は、アクセスログデータ１３０ｆのデータ構造の一例を示す図である。同図に示すように、このアクセスログデータ１３０ｆは、「ＩＤ（セッション番号）」、「所属」、「キーワード（用語等）」、「ＯＫ／ＮＧ／Ｃａｎｃｅｌ」、「見出し」、「ファイル名」、「アンカー名」からなり、各情報に対応するレコード１〜ｎが記録されている。
【００６３】
ここで、「ＮＧ」は、入力用語情報に対する見出しの候補が存在しない旨を示し、「Ｃａｎｃｅｌ」は、見出しの項目を表示したが、表示した項目が選択されなかった旨を示し、「ＯＫ」は、見出しを表示した場合に、表示した項目が選択された旨を示す。なお、「ＯＫ」には複数のバリエーションを設けても良い。
【００６４】
すなわち、項目が複数表示された場合に、最初の項目が選択された場合を「ＯＫ１」、項目が複数表示された場合に、途中の項目が選択された場合を「ＯＫ２」、項目が複数表示された場合に、最終の項目が選択された場合を「ＯＫ３」としても良い。
【００６５】
更新情報管理部１２０ｆは、検索結果表示部１２０ｃから提供先登録情報を取得した場合に、取得した提供先登録情報を更新情報提供先データ１３０ｅに記録する処理部である。また、更新情報管理部１２０ｆは、ナレッジ参照データ１３０ａおよび特設辞書データ１３０ｃに記録されたデータが更新された場合には、更新情報提供先データ１３０ｅに記録された利用者に対して更新されたデータを通知する。
【００６６】
図２の説明に戻ると、表示部１４０は、アクセスログ表示部１６０から取得する情報をディスプレイなどに表示させる処理部であり、入力部１５０はキーボードなどの入力装置から取得した情報をアクセスログ表示部１６０または特設辞書編集部１７０に渡す処理部である。
【００６７】
アクセスログ表示部１６０は、入力部１５０から、アクセスログデータまたは新規特設項目データに対する表示要求を受付けた場合に、対応する情報を表示部１４０に渡す処理部である。具体的には、アクセスログ表示部１６０は、アクセスログデータの表示要求を入力部１５０から受付けた場合には、アクセスログデータ１３０ｆに記録されたデータを表示部１４０に渡す。また、アクセスログ表示部１６０は、新規特設項目データの表示要求を入力部１５０から受付けた場合には、新規特設項目データ１３０ｄに記録されたデータを表示部１４０に渡す。
【００６８】
辞書サーバ１００の管理者は、新規特設項目データまたはアクセスログデータのＮＧに対するキーワードなどを、ディスプレイを介して参照した場合に、新規特設項目データまたはＮＧのキーワードに対する意味情報等を辞書サーバ１００に入力することによって、辞書コンテンツデータ１３０ｂを捕捉することができる。
【００６９】
特設辞書編集部１７０は、入力部１５０から意味情報および意味情報に関連する見出し情報を取得した場合に、取得した意味情報および見出し情報を特設辞書データ１３０ｃに登録する処理部である。
【００７０】
このように、特設辞書編集部１７０は、意味情報および見出し情報を入力部１５０から取得した場合に、辞書コンテンツデータ１３０ｂを更新するのではなく、特設辞書データ１３０ｃに意味情報および見出し情報を記録するので、辞書コンテンツデータ１３０ｃにかかわる著作権の問題を回避しつつ、辞書コンテンツデータ１３０ｂの情報を捕捉することができる。
【００７１】
次に、本実施例１にかかる辞書サーバ１００の処理について説明する。図１５は、本実施例１にかかる辞書サーバ１００の処理手順を示すフローチャートである。同図に示すように、辞書サーバ１００は、検索表示処理部１２０が検索要求を受付け（ステップＳ１０１）、検索要求にかかわる用語の辞書検索を実行する（ステップＳ１０２）。
【００７２】
そして、検索表示処理部１２０は、ナレッジ参照情報データ１３０ａ、辞書コンテンツデータ１３０ｂ、特設辞書データ１３０ｃから意味情報、見出し情報およびリンク情報を取得し（ステップＳ１０３）、検索結果を表示し（ステップＳ１０４）、アクセスログデータを更新する（ステップＳ１０５）。
【００７３】
このように、検索表示処理部１２０が、検索要求を受付けた場合に、検索要求を受付けた用語の辞書検索結果のみではなく、用語に関連する業務ホームページの項目を表示するので、利用者は、業務の効率化を図ることができる。
【００７４】
上述してきたように、本実施例１にかかる辞書サーバ１００は、クライアントＰＣ１０から所定の用語に対する辞書検索要求を受付けた場合に、検索表示処理部１２０がナレッジ参照情報データ１３０ａ、辞書コンテンツデータ１３０ｂおよび特設辞書データ１３０ｃから用語に対する意味情報、見出し情報、意味情報に関連するリンク情報を取得する。そして、検索表示処理部１２０は、取得した各情報を基にして、意味情報、見出し情報およびリンク情報にかかる業務ホームページの項目を表示させるので、利用者は、辞書検索を行った用語に対する意味だけではなく、用語に関連した業務ホームページを効率よく参照することができ、業務効率を向上させることができる。
【実施例２】
【００７５】
次に、本実施例２にかかる意味検索の概念について説明する。本実施例２にかかる辞書サーバは、ある事項に対する辞書検索要求を受付けた場合に、受付けた事項に対する意味情報およびリンク情報に基づいた業務ホームページの項目一覧を表示する。
【００７６】
また、辞書サーバは、ウェブログ（Ｗｅｂｌｏｇ）機能を利用して、リンク先のナレッジサーバとトラックバック情報を交換（トラックバック情報交換には、ＰＩＮＧサーバを利用する）し、業務ホームページにかかる情報などを更新する。ここで、トラックバック情報は、送信元と送信先とでリンクを確立するための情報である。
【００７７】
次に、本実施例２にかかる辞書検索システムの構成について説明する。図１６は、本実施例２にかかる辞書検索システムの構成を示す図である。同図に示すように、この辞書検索システムは、クライアントＰＣ１０、ナレッジサーバ２０、ＰＩＮＧサーバ２００および辞書サーバ３００からなる。
【００７８】
ＰＩＮＧサーバ２００は、ナレッジサーバ２０からトラックバック情報を取得した場合に、取得したトラックバック情報を、予め登録された送信先に送信する装置である。本実施例２では、ナレッジサーバ２０からトラックバック情報（または更新情報）を取得した場合には、取得したトラックバック情報を辞書サーバ３００に送信し、辞書サーバ３００からトラックバック情報（または更新情報）を取得した場合には、取得したトラックバック情報をナレッジサーバ２０に送信する。
【００７９】
なお、クライアントＰＣ１０などは、ＰＩＮＧサーバ２００のトラックバック情報の送信先を制限することによって、重要な非公開データなどが、第三者に送信されることを防止することができる。
【００８０】
辞書サーバ３００は、意味情報と、意味情報に関連するリンク情報とを関連付けて記憶し、クライアントＰＣ１０から用語の辞書検索要求を受付けた場合に、該当する意味情報およびリンク情報に基づいた業務ホームページの項目を表示する装置である。また、辞書サーバ３００は、ナレッジサーバ２０からトラックバック情報を受信した場合には、取得したトラックバック情報をナレッジサーバ２０へのリンク情報に変換する。
【００８１】
また、辞書サーバ３００は、クライアントＰＣ１０からＲＳＳ（RDF＜Resource  Description  Framework＞  Site  Summary）に基づいた更新情報要求を受付けた場合には、更新された情報をクライアントＰＣ１０に送信する。なお、クライアントＰＣ１０およびナレッジサーバ２０に関する説明は、実施例１と同様であるため、同一の符号を付して説明を省略する。
【００８２】
次に、本実施例２にかかる辞書サーバ３００の構成について説明する。図１７は、本実施例２にかかる辞書サーバ３００の構成を示す機能ブロック図である。同図に示すように、辞書サーバ３００は、トラックバック受信部３１０、通信部１１０、検索表示処理部１２０、記憶部１３０、表示部１４０、入力部１５０、アクセスログ表示部１６０、特設辞書編集部１７０を有する。
【００８３】
なお、通信部１１０、検索表示処理部１２０、記憶部１３０、表示部１４０、入力部１５０、アクセスログ表示部１６０および特設辞書編集部１７０に関する説明は、図２に示した各構成要素に関する説明と同様であるため説明を省略する。
【００８４】
トラックバック受信部３１０は、トラックバック情報を受信した場合に、受信したトラックバック情報をリンク情報に変換し、変換した情報をナレッジ参照データ１３０ａに記録する処理部である。
【００８５】
図１８は、トラックバック受信部３１０が受信するトラックバック情報のデータ構造の一例を示す図である。同図に示すように、このトラックバック情報は、「url（ＵＲＬ）」と、「blog  name（Ｂｌｏｇ名）」、「title（タイトル）」、「expert（概要）」からなる。例えば、urlには「http://www.imi.ne.jp/abc/」が設定され、blog  nameには「政治オぴみオン」が設定され、titleには「政治に対する意見が毎週聞ける」が設定されている（expertに関しては省略する）。
【００８６】
また、トラックバック受信部３１０は、検索表示処理部１２０によってナレッジ参照データ１３０の内容が更新されて場合に、新たにリンクを確立したリンク先のナレッジサーバ２０にトラックバック情報を送信する。
【００８７】
また、トラックバック受信部３１０は、ナレッジサーバ２０から更新情報を受信した場合には、受信した更新情報を基にしてナレッジ参照データ１３０ａを更新する。図１９は、トラックバック受信部３１０が受信する更新情報のデータ構造の一例を示す図である。
【００８８】
図１９に示すように、更新情報は、「rdf（ＲＳＳ）」、「title（見出し）」、「link（本文見出し）」、「description（概要）」、「Items（参考）」からなる。例えば、titleには「政治オぴみオン」が設定され、linkには「http://www.imi.ne.jp/abc/」が設定され、descriptionには「政治に対する意見が毎週聞ける」が設定されている。
【００８９】
なお、検索表示処理部１２０は、クライアントＰＣ１０からＲＳＳに基づいた更新情報要求を受付けた場合には、更新情報提供先データ１３０ｅを基にして、更新された情報をクライアントＰＣ１０に送信する。
【００９０】
上述してきたように、本実施例２にかかる辞書サーバ３００は、検索表示処理部１２０がクライアントＰＣ１０から用語の辞書検索要求を受付けた場合に、用語の意味情報を表示するだけではなく、意味情報に関連するリンク情報にかかる業務ホームページの項目を表示させる。また、トラックバック受信部３１０がナレッジサーバ２０からトラックバック情報を受信した場合に、受信したトラックバック情報をリンク情報に変換し、ナレッジ参照データ１３０ａに記録するので、効率よく、ナレッジサーバ２０が開設するホームページに対してリンクを確立することができる。
【００９１】
また、ナレッジサーバ２０の管理者は、辞書サーバ３００から送信されるトラックバック情報を参照することによって、利用者が検索を行う用語を効率よく把握することできるので、研究・開発などの業務効率を向上させることができる。
【００９２】
なお、本実施例１、２では、辞書サーバとナレッジサーバとを連携する場合を示したが、これに限定されるものではなく、例えば、辞書サーバとｅラーニングシステムを連携させることもできる。すなわち、辞書サーバがクライアントＰＣから用語に対する辞書検索要求を受付けた場合には、ｅラーニングシステムにかかるホームページへのリンク情報をあわせて表示することができる。
【実施例３】
【００９３】
次に、本実施例３にかかる意味検索の概念について説明する。本実施例３にかかる辞書サーバは、ある事項に対する辞書検索要求を受付けた場合に、受付けた事項に対する意味情報およびリンク情報に基づいた業務ホームページの項目一覧を表示する。
【００９４】
また、辞書サーバは、業務ホームページを構築するためのさまざまなデータ（テキスト、画像、レイアウト情報など）を管理し、業務ホームページの構築をおこなうＣＭＳ（Contents  Management  System）から、業務ホームページから意味情報の検索サイトへのリンク情報を取得し、そのリンク情報に基づいて意味情報から業務ホームページへのリンク情報を生成する。
【００９５】
そして、辞書サーバは、ある事項に対する辞書検索要求を受付けた場合に、生成したリンク情報に基づいて、受付けた事項に対する意味情報および業務ホームページの項目一覧を表示する。
【００９６】
次に、本実施例３にかかる辞書検索システムの構成について説明する。図２０は、本実施例３にかかる辞書検索システムの構成を示す図である。同図に示すように、この辞書検索システムは、クライアントＰＣ１０、ナレッジサーバ２０、ＣＭＳ４００および辞書サーバ５００からなる。
【００９７】
ＣＭＳ４００は、業務ホームページなどのウェブサイトを構築するためのさまざまなデータ（テキスト、画像、レイアウト情報など）を管理し、ウェブサイトの構築をおこなうシステムである。このＣＭＳ４００は、業務ホームページなどのウェブサイトから意味情報の検索サイトへのリンク情報を含んだリンクデータ４１０を記憶している。
【００９８】
図２１は、ＣＭＳ４００が記憶するリンクデータ４１０の一例を示す図である。同図に示すように、このリンクデータ４１０には、「ＵＲＬ」、「title（見出し）」、「description（概要）」の情報が登録されている。例えば、ＵＲＬには「http://www.imi.ne.jp/abc/」が設定され、title（見出し）には「政治オぴみオン」が設定され、description（概要）には「政治に対する意見が毎週聞ける」が設定されている。
【００９９】
ここで、ＵＲＬは、ＣＭＳ４００がデータを管理している業務ホームページのＵＲＬである。この業務ホームページには、意味情報の検索サイトへのリンクが設定されている。title（見出し）は、業務ホームページに設定されたタイトル（見出し）の情報である。description（概要）は、業務ホームページの概要の情報である。
【０１００】
辞書サーバ５００は、意味情報と、意味情報に関連するリンク情報とを関連付けて記憶し、クライアントＰＣ１０から用語の辞書検索要求を受付けた場合に、該当する意味情報およびリンク情報に基づいた業務ホームページの項目を表示する装置である。
【０１０１】
また、辞書サーバ５００は、ＣＭＳ４００から、意味情報の検索サイトへのリンクが設定された業務ホームページのＵＲＬ情報を取得し、そのＵＲＬ情報に基づいて意味情報から業務ホームページへのリンク情報を生成する。
【０１０２】
そして、辞書サーバ５００は、ある事項に対する辞書検索要求を受付けた場合に、生成したリンク情報に基づいて、受付けた事項に対する意味情報および業務ホームページの項目一覧を表示する。なお、クライアントＰＣ１０およびナレッジサーバ２０に関する説明は、実施例１と同様であるため、同一の符号を付して説明を省略する。
【０１０３】
次に、本実施例３にかかる辞書サーバ５００の構成について説明する。図２２は、本実施例３にかかる辞書サーバ５００の構成を示す機能ブロック図である。同図に示すように、辞書サーバ５００は、通信部５１０、リンクデータ受信部５２０、検索表示処理部１２０、記憶部１３０、表示部１４０、入力部１５０、アクセスログ表示部１６０、特設辞書編集部１７０を有する。
【０１０４】
なお、検索表示処理部１２０、記憶部１３０、表示部１４０、入力部１５０、アクセスログ表示部１６０および特設辞書編集部１７０に関する説明は、図２に示した各構成要素に関する説明と同様であるため説明を省略する。
【０１０５】
通信部５１０は、所定の通信プロトコルを利用して、クライアントＰＣ１０やナレッジサーバ２０、ＣＭＳ４００と通信を行うための処理部である。リンクデータ受信部５１０は、ＣＭＳ４００からリンクデータ４１０を取得して、図１９に示した更新情報と同様のデータ構造を有する更新情報を生成し、生成した更新情報を基にしてナレッジ参照データ１３０ａを更新する。
【０１０６】
具体的には、リンクデータ受信部５１０は、図２１に示したリンクデータ４１０における「ＵＲＬ」、「title（見出し）」、「description（概要）」の情報を、更新情報における「title（見出し）」、「link（ＵＲＬ）」、「description（概要）」として設定する。
【０１０７】
そして、リンクデータ受信部５１０は、図４に示したナレッジ参照データ１３０ａから更新情報における「title（見出し）」の情報に対応するパス情報の「見出し」を検索し、その「見出し」に対応付けてナレッジ参照データ１３０ａのリンク情報に「link（ＵＲＬ）」の情報を、また、ナレッジ参照データ１３０ａの概要に「description（概要）」の情報を設定する。
【０１０８】
これにより、ある事項に関する辞書検索要求を受付け、受付けた事項に対応する意味情報が表示される場合に、意味情報に対応するリンク情報に基づいて業務ホームページの項目を表示することができる。
【０１０９】
上述してきたように、本実施例３にかかる辞書サーバ５００は、意味情報の検索サイトへのリンクが設定された業務ホームページに係るアドレス情報を記憶したＣＭＳ４００から該アドレス情報を受信し、受信したアドレス情報に基づいて意味情報に関連する情報にリンクするリンク情報をナレッジ参照データ１３０ａとして記憶部１３０に記憶するので、ＣＭＳ４００により管理されている情報を用いて、意味情報に関連するウェブサイトなどへのリンクを効率よく確立することができる。
【実施例４】
【０１１０】
次に、本実施例４にかかる意味検索の概念について説明する。本実施例４にかかる辞書サーバは、ある事項に対する辞書検索要求を受付けた場合に、受付けた事項に対する意味情報およびリンク情報に基づいた業務ホームページの項目一覧を表示する。
【０１１１】
また、辞書サーバは、ユーザが業務ホームページに設定された意味情報の検索サイトへのリンク情報を利用して当該検索サイトにアクセスし、意味情報を参照した履歴の情報を取得する。そして、辞書サーバは、その履歴の情報に含まれる業務ホームページのアドレス情報に基づいて、意味情報から業務ホームページへのリンク情報を生成する。
【０１１２】
そして、辞書サーバは、ある事項に対する辞書検索要求を受付けた場合に、生成したリンク情報に基づいて、受付けた事項に対する意味情報および業務ホームページの項目一覧を表示する。
【０１１３】
次に、本実施例４にかかる辞書検索システムの構成について説明する。図２３は、本実施例４にかかる辞書検索システムの構成を示す図である。同図に示すように、この辞書検索システムは、クライアントＰＣ６００、ナレッジサーバ２０および辞書サーバ７００からなる。
【０１１４】
クライアントＰＣ６００は、辞書サーバ７００またはナレッジサーバ２０に対してアクセスを行い、用語の辞書検索要求を行うと共に、用語の意味情報に関連した業務ホームページを閲覧するための装置である。
【０１１５】
また、クライアントＰＣ６００は、ユーザが業務ホームページに設定された意味情報の検索サイトへのリンク情報を利用して意味情報の検索サイトにアクセスした場合に、その履歴の情報を辞書参照履歴データ６１０として記憶する。
【０１１６】
図２４は、クライアントＰＣ６００が記憶する辞書参照履歴データ６１０の一例を示す図である。同図に示すように、この辞書参照履歴データ６１０には、参照履歴として、リンク情報を利用して意味情報の検索サイトにアクセスする前に閲覧された業務ホームページのＵＲＬ（ＵＲＬ（ｎ）、ＵＲＬ（ｎ−１）、・・・）の情報が登録されている。
【０１１７】
例えば、図２４の例では、最新のＵＲＬの情報（ＵＲＬ（ｎ））として、「http://www.imi.ne.jp/abc/」が登録され、１つ前のＵＲＬの情報（ＵＲＬ（ｎ−１））として、「http://www.meaning.ne.jp/efg/」が登録されている。
【０１１８】
辞書サーバ７００は、意味情報と、意味情報に関連するリンク情報とを関連付けて記憶し、クライアントＰＣ６００から用語の辞書検索要求を受付けた場合に、該当する意味情報およびリンク情報に基づいた業務ホームページの項目を表示する装置である。
【０１１９】
また、辞書サーバ７００は、クライアントＰＣ６００から辞書参照履歴データ６１０を取得し、その辞書参照履歴データ６１０に含まれるＵＲＬの情報を用いて、意味情報から業務ホームページへのリンク情報を生成する。
【０１２０】
そして、辞書サーバ７００は、ある事項に対する辞書検索要求を受付けた場合に、生成したリンク情報に基づいて、受付けた事項に対する意味情報および業務ホームページの項目一覧を表示する。なお、ナレッジサーバ２０に関する説明は、実施例１と同様であるため、同一の符号を付して説明を省略する。
【０１２１】
次に、本実施例４にかかる辞書サーバ７００の構成について説明する。図２５は、本実施例４にかかる辞書サーバ７００の構成を示す機能ブロック図である。同図に示すように、辞書サーバ７００は、辞書参照履歴データ受信部７１０、通信部１１０、検索表示処理部１２０、記憶部１３０、表示部１４０、入力部１５０、アクセスログ表示部１６０、特設辞書編集部１７０を有する。
【０１２２】
なお、通信部１１０、検索表示処理部１２０、記憶部１３０、表示部１４０、入力部１５０、アクセスログ表示部１６０および特設辞書編集部１７０に関する説明は、図２に示した各構成要素に関する説明と同様であるため説明を省略する。
【０１２３】
辞書参照履歴データ受信部７１０は、クライアントＰＣ６００から辞書参照履歴データ６１０を取得し、その辞書参照履歴データ６１０に含まれるＵＲＬの情報を意味情報から業務ホームページへのリンク情報として設定する。
【０１２４】
具体的には、辞書参照履歴データ受信部７１０は、辞書参照履歴データ６１０からＵＲＬの情報を取得し、そのＵＲＬに対応する業務ホームページを公開しているナレッジサーバ２０にアクセスして、業務ホームページの見出しおよび概要の情報を取得する。
【０１２５】
なお、ここでは、辞書参照履歴データ受信部７１０が、業務ホームページを公開しているナレッジサーバ２０にアクセスして、当該業務ホームページの見出しおよび概要の情報を取得することとしたが、クライアントＰＣ６００が当該業務ホームページの見出しおよび概要の情報をＵＲＬとともに記憶している場合には、それらの情報をクライアントＰＣ６００から取得することとしてもよい。
【０１２６】
そして、辞書参照履歴データ受信部７１０は、業務ホームページのＵＲＬ、見出しおよび概要の情報に基づいて、図１９に示した更新情報と同様のデータ構造を有する更新情報を生成し、生成した更新情報を基にしてナレッジ参照データ１３０ａを更新する。
【０１２７】
すなわち、辞書参照履歴データ受信部７１０は、業務ホームページのＵＲＬ、見出しおよび概要の情報を、更新情報における「title（見出し）」、「link（ＵＲＬ）」、「description（概要）」として設定する。
【０１２８】
そして、辞書参照履歴データ受信部７１０は、図４に示したナレッジ参照データ１３０ａから更新情報における「title（見出し）」の情報に対応するパス情報の「見出し」を検索し、その「見出し」に対応付けてナレッジ参照データ１３０ａのリンク情報に「link（ＵＲＬ）」の情報を、また、ナレッジ参照データ１３０ａの概要に「description（概要）」の情報を設定する。
【０１２９】
これにより、ある事項に関する辞書検索要求を受付け、受付けた事項に対応する意味情報が表示される場合に、意味情報に対応するリンク情報に基づいて業務ホームページの項目を表示することができる。
【０１３０】
上述してきたように、本実施例４にかかる辞書サーバ７００は、業務ホームページに設定された意味情報の検索サイトへのリンク情報に基づいて意味情報の検索サイトが出力された場合に、その業務ホームページのアドレス情報を取得し、取得したアドレス情報に基づいて意味情報に関連する情報にリンクするリンク情報をナレッジ参照データ１３０ａとして記憶部１３０に記憶するので、意味情報の検索サイトがリンク情報に基づいて出力された場合のリンク元である業務ホームページのアドレス情報を用いて、意味情報に関連する業務ホームページなどへのリンクを効率よく確立することができる。
【実施例５】
【０１３１】
次に、本実施例５にかかる意味検索の概念について説明する。本実施例５にかかる辞書サーバは、ある事項に対する辞書検索要求を受付けた場合に、受付けた事項に対する意味情報およびリンク情報に基づいた業務ホームページの項目一覧を表示する。
【０１３２】
また、辞書サーバは、ユーザにより指定された業務ホームページの更新状況を監視し、業務ホームページが更新された場合に、更新された項目の情報を取得し、その項目に対応する見出しや概要に含まれる語句と、業務ホームページのＵＲＬとに基づいて意味情報から業務ホームページへのリンク情報を生成する。
【０１３３】
そして、辞書サーバは、ある事項に対する辞書検索要求を受付けた場合に、生成したリンク情報に基づいて、受付けた事項に対する意味情報および業務ホームページの項目一覧を表示する。
【０１３４】
次に、本実施例５にかかる辞書検索システムの構成について説明する。図２６は、本実施例５にかかる辞書検索システムの構成を示す図である。同図に示すように、この辞書検索システムは、クライアントＰＣ１０、ナレッジサーバ２０および辞書サーバ８００からなる。
【０１３５】
辞書サーバ８００は、意味情報と、意味情報に関連するリンク情報とを関連付けて記憶し、クライアントＰＣ１０から用語の辞書検索要求を受付けた場合に、該当する意味情報およびリンク情報に基づいた業務ホームページの項目を表示する装置である。
【０１３６】
また、辞書サーバ８００は、上述したように、ユーザにより指定された業務ホームページを公開しているナレッジサーバ２０に定期的にアクセスして、当該業務ホームページの更新状況を監視し、更新された項目の情報に基づいて意味情報から業務ホームページへのリンク情報を生成する。
【０１３７】
そして、辞書サーバ８００は、ある事項に対する辞書検索要求を受付けた場合に、生成したリンク情報に基づいて、受付けた事項に対する意味情報および業務ホームページの項目一覧を表示する。なお、クライアントＰＣ１０およびナレッジサーバ２０に関する説明は、実施例１と同様であるため、同一の符号を付して説明を省略する。
【０１３８】
次に、本実施例５にかかる辞書サーバ８００の構成について説明する。図２７は、本実施例５にかかる辞書サーバ８００の構成を示す機能ブロック図である。同図に示すように、辞書サーバ８００は、監視対象ホームページ設定部８２０、更新監視部８３０、通信部１１０、検索表示処理部１２０、記憶部１３０、表示部１４０、入力部１５０、アクセスログ表示部１６０、特設辞書編集部１７０を有する。
【０１３９】
また、記憶部１３０は、ナレッジ参照データ１３０ａ、辞書コンテンツデータ１３０ｂ、特設辞書データ１３０ｃ、新規特設項目データ１３０ｄ、更新情報提供先データ１３０ｅ、アクセスログデータ１３０ｆに加えて、監視対象ホームページデータ８１０を記憶する。
【０１４０】
ここで、通信部１１０、検索表示処理部１２０、記憶部１３０、表示部１４０、入力部１５０、アクセスログ表示部１６０、特設辞書編集部１７０、および、記憶部１３０に記憶されるナレッジ参照データ１３０ａ、辞書コンテンツデータ１３０ｂ、特設辞書データ１３０ｃ、新規特設項目データ１３０ｄ、更新情報提供先データ１３０ｅ、アクセスログデータ１３０ｆに関する説明は、図２に示した各構成要素および各データに関する説明と同様であるため説明を省略する。
【０１４１】
監視対象ホームページデータ８１０は、更新状況の監視対象となる業務ホームページの情報が登録されたデータである。図２８は、監視対象ホームページデータ８１０のデータ構造の一例を示す図である。
【０１４２】
同図に示すように、この監視対象ホームページデータ８１０には、「監視対象ホームページＵＲＬ」の情報が登録されている。「監視対象ホームページＵＲＬ」とは、更新状況の監視対象となる業務ホームページのＵＲＬ（ＵＲＬ１、ＵＲＬ２、・・・）の情報である。
【０１４３】
例えば、図２８の例では、「監視対象ホームページＵＲＬ」の情報として、「http://www.imi.ne.jp/abc/」や「http://www.meaning.ne.jp/efg/」などのＵＲＬの情報が登録されている。
【０１４４】
監視対象ホームページ設定部８２０は、入力部１５０を介してユーザにより入力された更新状況の監視対象となる業務ホームページのＵＲＬの情報を取得し、そのＵＲＬの情報を記憶部１３０に監視対象ホームページデータ８１０として記憶させる。
【０１４５】
更新監視部８３０は、監視対象ホームページデータ８１０に登録されたＵＲＬに対応する業務ホームページの更新状況を定期的に確認し、更新された項目の情報に基づいて意味情報から業務ホームページへのリンク情報を生成する。
【０１４６】
具体的には、更新監視部８３０は、業務ホームページの情報をダウンロードし、前回ダウンロードした情報と比較して更新項目を検出する。そして、更新監視部８３０は、更新項目に対応する見出しや概要に含まれる語句を抽出し、図１９に示した更新情報と同様のデータ構造を有する更新情報を生成する。
【０１４７】
すなわち、更新監視部８３０は、図２８に示した監視対象ホームページデータ８１０に「監視対象ホームページＵＲＬ」として登録されたＵＲＬ、更新項目から抽出された見出し、概要の情報を、図１９に示した更新情報における「link（ＵＲＬ）」、「title（見出し）」、「description（概要）」として設定する。
【０１４８】
そして、更新監視部８３０は、図４に示したナレッジ参照データ１３０ａから更新情報における「title（見出し）」の情報に対応するパス情報の「見出し」を検索し、その「見出し」に対応付けてナレッジ参照データ１３０ａのリンク情報に「link（ＵＲＬ）」の情報を、また、ナレッジ参照データ１３０ａの概要に「description（概要）」の情報を設定する。
【０１４９】
これにより、ある事項に関する辞書検索要求を受付け、受付けた事項に対応する意味情報が表示される場合に、意味情報に対応するリンク情報に基づいて業務ホームページの項目を表示することができる。
【０１５０】
上述してきたように、本実施例５にかかる辞書サーバ８００は、指定された業務ホームページの更新状況を監視し、監視により更新された業務ホームページが検出された場合に、更新された業務ホームページのアドレス情報を検出し、検出したアドレス情報に基づいて意味情報に関連する情報にリンクするリンク情報をナレッジ参照データ１３０ａとして記憶部１３０に記憶するので、更新された業務ホームページのアドレス情報を用いて、意味情報に関連する業務ホームページなどへのリンクを効率よく確立することができる。
【０１５１】
ところで、上記の実施例で説明した辞書サーバ１００，３００，５００，７００，８００の各処理は、意味検索処理に係るプログラムをコンピュータで実行することによって実現することができる。そこで、以下では、図２９を用いて、上記の実施例の辞書サーバ１００，３００，５００，７００，８００と同様の機能を有する意味検索処理プログラムを実行するコンピュータの一例を説明する。図２９は、意味検索プログラムを実行するコンピュータを示す図である。
【０１５２】
同図に示すように、コンピュータ３０は、通信装置３１、入力装置３２、表示装置３３、ＲＡＭ３４、ＨＤＤ３５、ＲＯＭ３６およびＣＰＵ３７をバス３８で接続して構成される。ここで、通信装置３１は図２に示した通信部１１０に対応し、入力装置３２は、図２に示した入力部１５０に対応し、表示装置３３は図２に示した表示部１４０に対応する。
【０１５３】
そして、ＲＯＭ３６には、上記の実施例のサーバ１００，３００，５００，７００，８００と同様の機能を発揮する意味検索プログラム、つまり、図２９に示すように、トラックバック受信プログラム３６ａ、検索表示処理プログラム３６ｂ、アクセスログ表示プログラム３６ｃ、特設辞書編集プログラム３６ｄ、リンクデータ受信プログラム３６ｅ、辞書参照履歴データ受信プログラム３６ｆ、監視対象ホームページ設定プログラム３６ｇ、更新監視プログラム３６ｈが予め記憶されている。
【０１５４】
なお、プログラム３６ａ〜３６ｈは、図２、図１７、図２２、図２５、図２７に示した辞書サーバ１００，３００，５００，７００，８００の各構成要素と同様、適宜統合または分散しても良い。
【０１５５】
そして、ＣＰＵ３７が、これらのプログラム３６ａ〜３６ｈをＲＯＭ３６から読み出して実行することで、図２９に示すように、各プログラム３６ａ〜３６ｈは、トラックバック受信プロセス３７ａ、検索表示処理プロセス３７ｂ、アクセス表示プロセス３７ｃ、特設辞書編集プロセス３７ｄ、リンクデータ受信プロセス３７ｅ、辞書参照履歴データ受信プロセス３７ｆ、監視対象ホームページ設定プロセス３７ｇ、更新監視プロセス３７ｈとして機能するようになる。
【０１５６】
各プロセス３７ａ〜３７ｈは、図１７に示したトラックバック受信部３１０、図２、図１７、図２２、図２５、図２７に示した検索表示処理部１２０、アクセスログ表示部１６０、特設辞書編集部１７０、図２２に示したリンクデータ受信部５２０、図２５に示した辞書参照履歴データ受信部７１０、図２７に示した監視対象ホームページ設定部８２０、更新監視部８３０にそれぞれ対応する。
【０１５７】
また、ＨＤＤ３５には、図２９に示すように、ナレッジ参照データ３５ａ、辞書コンテンツデータ３５ｂ、特設辞書データ３５ｃ、新規特設項目データ３５ｄ、更新情報提供先データ３４ｅ、アクセスログデータ３４ｆ、監視対象ホームページデータ３５ｇが設けられる。
【０１５８】
各データ３５ａ〜３５ｇは、図２、図１７、図２２、図２５、図２７に示したナレッジ参照データ１３０ａ、辞書コンテンツデータ１３０ｂ、特設辞書データ１３０ｃ、新規特設項目データ１３０ｄ、更新情報提供先データ１３０ｅ、アクセスログデータ１３０ｆ、図２７に示した監視対象ホームページデータ８１０に対応する。そして、ＣＰＵ３６は、各データ３５ａ〜３５ｇをＲＡＭ３４に読み出し、意味検索処理を実行する。
【０１５９】
ところで、上記した各プログラム３６ａ〜３６ｈは、必ずしも最初からＲＯＭ３６に記憶させておく必要はなく、例えば、コンピュータ３０に挿入されるフレキシブルディスク（ＦＤ）、ＣＤ−ＲＯＭ、ＭＯディスク、ＤＶＤディスク、光磁気ディスク、ＩＣカードなどの「可搬の物理媒体」、または、コンピュータ３０の内外に備えられるハードディスクドライブ（ＨＤＤ）などの「固定用の物理媒体」、さらには、公衆回線、インターネット、ＬＡＮ、ＷＡＮなどを介してコンピュータ３０に接続される「他のコンピュータ（またはサーバ）」などに各プログラムを記憶させておき、コンピュータ３０がこれらから各プログラムを読み出して実行するようにしてもよい。
【産業上の利用可能性】
【０１６０】
以上のように、本発明にかかる意味検索プログラムは、所定の事項に対して辞書検索を実行する辞書検索システムなどに対して有用である。
【図面の簡単な説明】
【０１６１】
【図１】図１は、本実施例１にかかる辞書検索システムの構成を示す図である。
【図２】図２は、本実施例１にかかる辞書サーバの構成を示す機能ブロック図である。
【図３】図３は、検索表示処理部の構成を示す機能ブロック図である。
【図４】図４は、ナレッジ参照データのデータ構造の一例を示す図である。
【図５】図５は、見出しデータのデータ構造の一例を示す図である。
【図６】図６は、本文ＨＴＭＬデータのデータ構造の一例を示す図である。
【図７】図７は、検索結果表示部がクライアントＰＣに表示させる表示画面の一例を示す図である。
【図８】図８は、利用者が図７にかかる表示画面の項目「○○薬品工業（株）○×△鼻炎薬」をクリックした場合に表示される画面の一例を示す図である。
【図９】図９は、ナレッジへの参照先登録画面の一例を示す図である。
【図１０】図１０は、更新情報提供先登録画面の一例を示す図である。
【図１１】図１１は、追加登録画面の一例を示す図である。
【図１２】図１２は、新規特設項目データのデータ構造の一例を示す図である。
【図１３】図１３は、話題のキーワードに対する表示画面の一例を示す図である。
【図１４】図１４は、アクセスログデータのデータ構造の一例を示す図である。
【図１５】図１５は、本実施例１にかかる辞書サーバの処理手順を示すフローチャートである。
【図１６】図１６は、本実施例２にかかる辞書検索システムの構成を示す図である。
【図１７】図１７は、本実施例２にかかる辞書サーバの構成を示す機能ブロック図である。
【図１８】図１８は、トラックバック受信部が受信するトラックバック情報のデータ構造の一例を示す図である。
【図１９】図１９は、トラックバック受信部が受信する更新情報のデータ構造の一例を示す図である。
【図２０】図２０は、本実施例３にかかる辞書検索システムの構成を示す図である。
【図２１】図２１は、ＣＭＳが記憶するリンクデータの一例を示す図である。
【図２２】図２２は、本実施例３にかかる辞書サーバの構成を示す機能ブロック図である。
【図２３】図２３は、本実施例４にかかる辞書検索システムの構成を示す図である。
【図２４】図２４は、クライアントＰＣが記憶する辞書参照履歴データの一例を示す図である。
【図２５】図２５は、本実施例４にかかる辞書サーバの構成を示す機能ブロック図である。
【図２６】図２６は、本実施例５にかかる辞書検索システムの構成を示す図である。
【図２７】図２７は、本実施例５にかかる辞書サーバの構成を示す機能ブロック図である。
【図２８】図２８は、監視対象ホームページデータのデータ構造の一例を示す図である。
【図２９】図２９は、意味検索プログラムを実行するコンピュータを示す図である。
【符号の説明】
【０１６２】
１０，６００    クライアントＰＣ
２０    ナレッジサーバ
３０    コンピュータ（辞書サーバ）
３１    通信装置
３２    入力装置
３３    表示装置
３４    ＲＡＭ
３４ａ，３５ａ  ナレッジ参照データ
３４ｂ，３５ｂ  辞書コンテンツデータ
３４ｃ，３５ｃ  特設辞書データ
３４ｄ，３５ｄ  新規特設項目データ
３４ｅ，３５ｅ  更新情報提供先データ
３４ｆ，３５ｆ  アクセスログデータ
３４ｇ，３５ｇ  監視対象ホームページデータ
３５    ＨＤＤ
３６    ＲＯＭ
３６ａ  トラックバック受信プログラム
３６ｂ  検索表示処理プログラム
３６ｃ  アクセスログ表示プログラム
３６ｄ  特設辞書編集プログラム
３６ｅ  リンクデータ受信プログラム
３６ｆ  辞書参照履歴データ受信プログラム
３６ｇ  監視対象ホームページ設定プログラム
３６ｈ  更新監視プログラム
３７    ＣＰＵ
３７ａ  トラックバック受信プロセス
３７ｂ  検索表示処理プロセス
３７ｃ  アクセスログ表示プロセス
３７ｄ  特設辞書編集プロセス
３７ｅ  リンクデータ受信プロセス
３７ｆ  辞書参照履歴データ受信プロセス
３７ｇ  監視対象ホームページ設定プロセス
３７ｈ  更新監視プロセス
３８    バス
１００，３００，５００，７００，８００    辞書サーバ
１１０，５１０    通信部
１２０    検索表示処理部
１２０ａ  検索受付部
１２０ｂ  検索実行部
１２０ｃ  検索結果表示部
１２０ｄ  ナレッジ情報登録部
１２０ｅ  アクセスログ管理部
１２０ｆ  更新情報管理部
１３０    記憶部
１３０ａ  ナレッジ参照データ
１３０ｂ  辞書コンテンツデータ
１３０ｃ  特設辞書データ
１３０ｄ  新規特設項目データ
１３０ｅ  更新情報提供先データ
１３０ｆ  アクセスログデータ
１４０    表示部
１５０    入力部
１６０    アクセスログ表示部
１７０    特設辞書編集部
３１０    トラックバック受信部
４００    ＣＭＳ
４１０    リンクデータ
５２０    リンクデータ受信部
６１０    辞書参照履歴データ
７１０    辞書参照履歴データ受信部
８１０    監視対象ホームページデータ
８２０    監視対象ホームページ設定部
８３０    更新監視部
【図１】
0004653805.tif 000002
【図２】
0004653805.tif 000003
【図３】
0004653805.tif 000004
【図４】
0004653805.tif 000005
【図５】
0004653805.tif 000006
【図６】
0004653805.tif 000007
【図７】
0004653805.tif 000008
【図８】
0004653805.tif 000009
【図９】
0004653805.tif 000010
【図１０】
0004653805.tif 000011
【図１１】
0004653805.tif 000012
【図１２】
0004653805.tif 000013
【図１３】
0004653805.tif 000014
【図１４】
0004653805.tif 000015
【図１５】
0004653805.tif 000016
【図１６】
0004653805.tif 000017
【図１７】
0004653805.tif 000018
【図１８】
0004653805.tif 000019
【図１９】
0004653805.tif 000020
【図２０】
0004653805.tif 000021
【図２１】
0004653805.tif 000022
【図２２】
0004653805.tif 000023
【図２３】
0004653805.tif 000024
【図２４】
0004653805.tif 000025
【図２５】
0004653805.tif 000026
【図２６】
0004653805.tif 000027
【図２７】
0004653805.tif 000028
【図２８】
0004653805.tif 000029
【図２９】
0004653805.tif 000030